(57)【要約】【課題】本発明は、洗い場床上の全体と排水トラップ内を殺菌可能であり、特に、排水トラップ内を殺菌水で充分に置換することが可能な浴室殺菌システムを提供する。【解決手段】洗い場床面上の全体に向けて殺菌水を吐水する洗い場殺菌工程と、洗い場床面に形成された排水口または前記排水口近傍に殺菌水を集中的に吐水する排水口殺菌工程と、を実行可能な制御装置を備え、前記制御装置は、前記洗い場殺菌工程を実行した後に、前記排水口殺菌工程を実行することを特徴とする。【選択図】図１
2009219565.tif 000002
【特許請求の範囲】
【請求項１】
洗い場床面上の全体に向けて殺菌水を吐水する洗い場殺菌工程と、
洗い場床面に形成された排水口または前記排水口近傍に殺菌水を集中的に吐水する排水口殺菌工程と、を実行可能な制御装置を備え、
前記制御装置は、前記洗い場殺菌工程を実行した後に、前記排水口殺菌工程を実行することを特徴とする浴室殺菌システム。
【請求項２】
さらに、前記制御装置は、殺菌水の吐水を予め設定された所定時間、停止させる待機工程を実行可能であり、
前記制御装置は、前記洗い場殺菌工程を実行した後に、前記待機工程を実行し、
前記洗い場殺菌工程において吐水された殺菌水の大半を前記排水口に排出させた後に、
前記排水口殺菌工程を実行することを特徴とする請求項１記載の浴室殺菌システム。
【請求項３】
前記洗い場殺菌工程はミスト状に噴霧することを特徴とする請求項１または２記載の浴室殺菌システム。
【発明の詳細な説明】
【技術分野】
【０００１】
本発明は、浴室の洗い場および排水トラップ内に殺菌水を流して、洗い場床面上および排水トラップ内における細菌の発生を抑制する浴室殺菌システムに関する。
【背景技術】
【０００２】
従来、殺菌性物質又はイオンを含有する殺菌水を浴室の壁や洗い場床に散布して、細菌の発生を抑制する浴室防汚装置が提案されている（例えば、特許文献１参照。）。
斯かる浴室防汚装置においては、殺菌水を霧状、粒状、流水状等の形態で、浴室壁や洗い場床に散布することにより、細菌に起因する浴室壁や洗い場床の表面に生じる汚れを防止することができることが開示されている。また、洗い場床や浴室壁に散布された殺菌水は、洗い場床上を排水勾配に沿って流れ、洗い場床に取り付けられ、封水を形成可能な排水トラップに集水される。
【特許文献１】特開平９−２２０２７３号公報
【発明の開示】
【発明が解決しようとする課題】
【０００３】
しかしながら、特許文献１では、排水トラップ内における細菌の発生を抑制することを考慮していなかったため、排水トラップ内の菌の繁殖を充分に抑制することができないという問題があった。一般的に、入浴直後における排水トラップの封水部は、皮脂、シャンプー、石鹸カスなどの有機物汚れが、多く含まれているため菌が非常に繁殖しやすい環境にある。このような有機物汚れが多量に存在している状態で殺菌水を少量だけ流入させても、殺菌効果が減少してしまう。そこで、排水トラップ内に残存していた入浴直後の封水を殺菌水で充分に置換することが求められる。
【０００４】
しかしながら、殺菌水は洗い場上を経由して排水トラップ内に流れこんでくるものであるため、トラップ内を完全に殺菌水で置換することができないおそれがあった。
【０００５】
本発明は上述の問題に鑑みてなされ、洗い場床上の全体と排水トラップ内を殺菌可能であり、特に、排水トラップ内を殺菌水で充分に置換することが可能な浴室殺菌システムを提供する。
【課題を解決するための手段】
【０００６】
本発明の一態様によれば、洗い場床面上の全体に向けて殺菌水を吐水する洗い場殺菌工程と、洗い場床面に形成された排水口または前記排水口近傍に殺菌水を集中的に吐水する排水口殺菌工程と、を実行可能な制御装置を備え、前記制御装置は、前記洗い場殺菌工程を実行した後に、前記排水口殺菌工程を実行することを特徴とする浴室殺菌システムを提供する。
【発明の効果】
【０００７】
本発明に係る浴室殺菌システムによれば、洗い場床上の全体と排水トラップ内を殺菌可能であり、特に、排水トラップ内を殺菌水で充分に置換することが可能な浴室殺菌システムを提供することができる。
【発明を実施するための最良の形態】
【０００８】
本発明に係る浴室殺菌ユニットの一実施形態について、添付図面を参照して説明する。図１は、本実施形態に係る浴室殺菌システムの全体的な概要を示すものである。
この浴室殺菌システムは、浴槽２と、浴槽２の長辺側に隣接する洗い場床３と、浴槽２側から洗い場床３を隔てて浴槽２に対向する第１の壁面４へ横設された浴室カウンタ５と、浴室殺菌装置１とから構成される。洗い場床３は、排水口７内に向かって排水用の下り勾配が取られている。ここで、浴室カウンタ５は、第２の壁面４２に取り付けられており、浴槽２のリム２ａより低い位置に配置されている。
【０００９】
また、この浴室には、洗い場床３の浴槽２側端辺から、浴槽２の洗い場床３側端辺までを掩蔽するバスエプロン６と、洗い場床３の浴槽２側端辺に、洗い場床３より一段低く形成され、排水トラップ（図示せず）が取設される排水口７が設けられ、排水口７上面には、洗い場床上の水が排水口７内に流入可能な程度の隙間を空けて排水蓋８が載置される。
【００１０】
浴室殺菌装置１は、制御ボックス（制御装置）１０と、機能ユニット１１と、洗い場全体に殺菌水を吐水する洗い場殺菌散水部１２と、排水口に集中的に殺菌水を吐水する排水口殺菌散水部７３と、リモコン１３とを備える。
【００１１】
制御ボックス１０は、浴室の天井裏に設置され、リモコン１３からの指示により、機能ユニット１１内の後述する電磁弁及び電解槽を制御する。機能ユニット１１は、殺菌水を生成するユニットであり、浴室カウンタ内に内蔵され、その先端には殺菌水を散布する洗い場殺菌散水部１２および、排水口殺菌散水部７３が接続される。
【００１２】
リモコン１３は、浴室前の更衣室等の壁面に設置され、スイッチ１３ａとＬＥＤ１３ｂとを備える。スイッチ１３ａをＯＮにすると、浴室殺菌装置１が作動を開始するとともに、ＬＥＤ１３ｂが点灯し、浴室殺菌装置１が作動中であることを表示する。
【００１３】
浴室カウンタ５内部には、図２に示すように、洗い場水栓に給水／給湯する給水管１５及び給湯管１６が配管される。給水管１５は、給水管分岐部７５で分岐されて、機能ユニット１１に水を供給する水道水導入管１７が接続される。この水道水導入管１７の途中には止水栓１８が設けられ、この止水栓１８を閉めることにより、機能ユニット１１を取り外す際にも、浴室の通常の使用に支障を来さないようになっている。
【００１４】
機能ユニット１１の出口部分には、殺菌水導出管１９の先に分岐部４０を設ける。水道水導入管１７により導入された水は、機能ユニット１１内において殺菌水に変成され、殺菌水導出管１９を経由して分岐部７０を通り、電磁弁７１を経由して洗い場殺菌散水部１２から吐水されるか、電磁弁７２を経由し排水口殺菌散水部７３から吐水されるかのいずれかである。
【００１５】
以上に述べた配管図を図３にまとめた。給水管１５が、給水管分岐部７５で分岐して、一方は洗い場水栓７７へ、もう一方は分岐部７０で分かれて、洗い場殺菌散水部１２か排水口殺菌散水部７３から殺菌水となって吐水される。殺菌水の吐水を切り替えるのは、電磁弁７１、７２で行う。
【００１６】
機能ユニット１１は、図４（ａ）に示すように、ケース２０内に、水道水導入管１７に接続する流入口２１を介して順に、電磁弁２２、定流量弁２３、大気開放弁２４、逆止弁２５、及び電解槽２６が連通される。流入口および流出口は浴室カウンターの前端部側に配置されるように取設されており、流入口と流出口の軸はそれぞれ対角位置に配置されている。電解槽を介して流入口と流出口を連通するための管路部は、流入口から浴室カウンターの後端部側に直進する往路部と、流出口から浴室カウンターの後端部側に直進する復路部と、往路部および復路部の浴室カウンター後端部側の端部を連通するためにＵ字状に屈曲すると共に、復路部が往路部に比べて高い位置に配置されるように取り付けられる屈曲部と、を有している。
【００１７】
機能ユニット１１は、ケース２０内にウレタン樹脂２８が充填されて、防水構造とされている。これにより、電気部品の端子部の防水と、通水部からの漏水が防止される。
【００１８】
また、図４（ｂ）に示すように、機能ユニット１１の大きさを最小とすべく、流入ロ２１と流出口２７の軸が、ケース２０の対角に位置するように配設される。
【００１９】
リモコン１３のスイッチ１３ａが押されると、制御ボックス１０からの指示により電磁弁２２が開いて通水され、定流量弁２３により流量が一定に保たれる。これにより、生成される殺菌水の濃度が一定に保たれると同時に、散水部から散布される殺菌水の水圧も一定に保たれ、所望の範囲に殺菌水を散布することが可能となる。
【００２０】
通水状態になると、電解槽２６の電極２９に通電が開始され、電極２９の電気分解が行われて銀イオンが発生する。銀イオンを含有する水は殺菌水として散水部へ送られる。こうして生成された殺菌水は、逆止弁２５により給水管１５へと逆流することが防止される。
【００２１】
大気開放弁２４は、通電時（電磁弁開）においては閉止状態になって、水が外部に漏出することが防止され、待機時（電磁弁閉）には開放状態になって、逆止弁２５より下流側は空気と置換される。これにより、電解槽２６内に残存水が残ることが防止される。
【００２２】
電解槽２６の電極２９は、銀、銀合金または銀メッキ金属により形成され、電極２９の電気分解が行われると銀イオンが発生する。この電極２９は、図５（ａ）に示すように、電極２９同士が水平になるような位置関係で設置されている。これにより、図５（ｂ）に示すように、待機時に残存水の表面張力による電極の導通状態が回避される。このようにすることで、電解槽をコンパクト（厚みを薄く）にしても、待機時に残存水の表面張力によって電極が導通状態になることを回避できる。
【００２３】
洗い場殺菌散水部１２からは、殺菌水が散布される。洗い場殺菌散水部１２は、図６に示すように、大別して、ボディ３０と、その先端に軸支される回転体３１とから構成される。回転体３１はまた、上側部材３２と下側部材３３とに分割され、ワッシャ３４を介して、固定ビス３５により、ボディ３１の先端に回転自在に取設される（図８参照）。回転体３１はこのように取り外し可能かつ分解可能に形成されているので、その内部及びボディ３０の先端を清掃することができる。
【００２４】
回転体３１（の下側部材３３）には、図７（ａ）に示すように、４対８個の液体噴出孔３３ａ，３３ｂ，３３ｃ，３３ｄが設けられる。これらの液体噴出孔３３ａ，３３ｂ，３３ｃ，３３ｄは、回転体３１の回転中心から同一方向へ同一距離偏心して設けられるので、通水状態になると、水流により回転し、洗い場床３ヘ殺菌水を万遍なく散布することができる。
【００２５】
これらのうち、液体噴出孔３３ａは、図７（ｂ）に示すように、水平に開口するものの、液体噴出孔３３ｂは、図７（ｃ）に示すように、仰角４°に開口する。また、液体噴出孔３３ｃは、図７（ｄ）に示すように、仰角８°に、液体噴出孔３３ｄは、図７（ｄ）に示すように、仰角１２°にそれぞれ開口する。
【００２６】
これにより、洗い場床３の散水部近傍から遠方まで、万遍なく散布することができる。なお、各液体噴出孔の仰角は、散布する洗い場床の広さに応じて適宜決定される。
ところで、ボディ３０の先端は、図８に示すように、直径Ｄ１に形成された軸先端３０ａのさらに先に直径Ｄ２の最先端３０ｂが段落ちして形成される。これに対応して、上側部材３２には、軸先端３０ａが挿通可能な直径Ｄ１’の挿通孔３２ａが形成され、下側部材３３には、最先端３０ｂが挿通可能なものの軸先端３０ａは挿通不能な直径Ｄ２’’の挿通孔３３ｅが形成される。
【００２７】
これにより、回転体３１を分解した後、誤って上側部材３２と下側部材３３とを上下逆に取り付けることが防止されるので、液体噴出孔３３ｂ，３３ｃ，３３ｄは仰角を確保でき、常に上方を指向して開口する。
【００２８】
図９は、洗い場殺菌散水部１２の散布状態を示す平面図であり、図１０は同立面図である。
【００２９】
図９に示すＧのエリアは、主に仰角０°の液体噴出孔３３ａからの殺菌水が散布されるエリアであり、同Ｈのエリアは、主に仰角４°の液体噴出孔３３ｂからの殺菌水が散布されるエリア、同じく、Ｉ及びＪのエリアは、それぞれ主に仰角８°及び１２°の液体噴出孔３３ｃ及び３３ｄからの殺菌水が散布されるエリアである。このように、液体噴出口３３ａ，３３ｂ，３３ｃ，３３ｄの仰角を異ならせることにより広範囲に亘って殺菌水を散布することが可能となる。
【００３０】
これに対し、図９に示すＦのエリアには、殺菌水は直接散布されない。このエリアには、図１０に示すように、洗い場殺菌散水部１２より奥側で浴室カウンタが取設される第２の壁面４２、第２の壁面近傍側の第１の壁面４、または第２の壁面近傍側のバスエプロン６に当たり跳ね返った水、及び跳ね返った後そこから洗い場床３の勾配に沿って流れ下る殺菌水により洗浄される。このように、散水部１２が回転して吐水する形態であるため、散水部から離れたエリアＧ，Ｈ，Ｉ，Ｊエリア用の液体噴出孔を設けておけば、必然的に洗い場殺菌散水部１２近傍の洗い場床上は、大量の殺菌水が流れることになる。これにより、洗い場床上全面に殺菌水を行き渡らせることが可能となる。特に、水道圧力のみで、洗い場殺菌散水部１２遠方側まで殺菌水を散布するためには、液体噴出孔の総孔面積に限界があるが、本実施形態では、散水部から離れたエリアＧ，Ｈ，Ｉ，Ｊエリア用の液体噴出孔のみで足りるため、水道水圧のみで洗い場床の全面に殺菌水を行き渡らせることができる。
【００３１】
この点、洗い場殺菌散水部１２は、浴槽２と洗い場床３を隔てて対向する壁面４近傍、すなわち、排水口７と対角位置となるに水上に取設されるので、洗い場殺菌散水部近傍においても殺菌水が廻らないエリアはない。
【００３２】
また、洗い場殺菌散水部１２は、浴室カウンタ５下部に取設されるので、浴室カウンタ５下部が陰になって、殺菌水が廻らないということもない。
【００３３】
他方、液体噴出口３３ｄの仰角は一定以下に抑えられるので、無闇に広いエリアに散布することはなく、経済的であるばかりでなく、図１０に示すように、殺菌水は最高位置でも浴槽２のリム２ａの高さを超えないので、風呂蓋に殺菌水がかかることもない。
【００３４】
さらに、殺菌水は、バスエプロン６に向かっても散布されるので、図１１に示すように、排水口７上の排水蓋８とバスエプロン６との間にできる隙間には、バスエプロン６に当たって流れ落ちる殺菌水によって洗浄される。このように、洗い場床３を流れ落ちる殺菌水だけでは網羅できないエリア（排水口におけるバスエプロン６側の端辺であって、特にその中央付近は洗い場床上を流れた殺菌水が流れにくい。）も洗浄することができる。
【００３５】
排水口殺菌散水部７３は、図１２に示すように殺菌水を排水口近傍に集中して吐水する構造を有する。吐水口７４は排水口に向けられており、図１３に示すように、殺菌水が排水口近傍に集中して吐水される。
【００３６】
洗い場殺菌散水部１２は、広範囲に殺菌水を散布する固定ノズルでも構わない。図１４に示すように排水口７と反対側の壁付近に殺菌水を吐水すれば、洗い場床３が有する排水口に向かう傾斜を利用して殺菌水を流せるため、ほぼ全面の洗い場床３に殺菌水を接触させることが可能となる。
【００３７】
図１７は、洗い場殺菌スイッチがＯＮされた時のフローチャートである。洗い場殺菌ＳＷがＯＮされると、電磁弁２２と電磁弁７１が開き、洗い場殺菌散水部１２から殺菌水を洗い場床３の全面に吐水する洗い場殺菌工程を実行する。タイマーが所定時間Ｔ０をカウントしたら、電磁弁２２と電磁弁７１を閉じ、殺菌水生成装置の電解槽２６への通電を止め、洗い場殺菌散水部１２および排水口殺菌散水部７３のいずれからも殺菌水が吐水されない状態にする待機工程を実行する。この待機工程は、洗い場殺菌工程で吐水した殺菌水の大半が排水口に排出される程度の時間に設定される。殺菌水の吐水を終了してから所定時間Ｔ１経過後に、電磁弁２２と電磁弁７２を開き、再度殺菌水生成装置の電解槽２６への通電を行い、殺菌水を排水口殺菌散水部７３から排水口付近に集中して吐水する。タイマーが所定時間Ｔ2をカウントしたら、電磁弁２２と電磁弁７２を閉じ、殺菌水生成装置を停止して運転を終了する。殺菌水生成装置を停止してから電磁弁を閉めるのが好ましい。なぜなら、電磁弁を閉める少し前（１秒程度）に殺菌水生成の通電を止めることで、残水に殺菌成分、本実施例では銀イオンが混じらず、銀イオンが原因となりうる黒ずみが吐水部や吐水部下の床にできる可能性がなくなる。また、好ましくは電磁弁２２を閉めて、５秒程度おいてから電磁弁７２を閉めるのが良い。そうすれば大気開放弁２４の作用で、水路管内の残水が排水口殺菌散水部７３から抜けるためである。前記した所定時間Ｔ１が、待機工程に相当し、洗い場殺菌工程において吐水された殺菌水の大半を前記排水口に排出させる時間となる。皮脂や石鹸かすなど洗い場床３にある汚れ成分を完全に排水口に流した後、排水口付近に排水口殺菌散水部７３から吐水することで、排水トラップ内の汚れ成分を完全に殺菌水で置換することができ、排水トラップ内には汚れ成分を含まない殺菌水のみを滞留することができる。結果として、排水口内の防汚性能が高まる効果がある。
【００３８】
洗い場殺菌工程は、全吐水に殺菌成分を混入させず、後半のみ殺菌成分を混じらせても良い。また洗い場殺菌工程は殺菌水をミスト状に噴霧しても良い。ミスト状に吐水することで、長時間、殺菌水を洗い場床面上に滞留させることができる。
【００３９】
本実施例における殺菌水としては、殺菌性物質又はイオンを含有する水を例示することができる。具体的には、遊離塩素、抗菌性金属（例えば、銀、銅、亜鉛等）又はそのイオン、オゾン、オゾン含有水、結合塩素、有機塩素系消毒液、有機リン酸系消毒液、ベルオクソ炭酸イオン又はその塩、アルコール系消毒液などを挙げることができる。
【００４０】
また、本発明は、浴室洗浄装置に関わることで、上の実施例に示した洗い場殺菌水吐水に限定されるものではない。浴室全体に殺菌水を散布する形態等も本発明の実施形態に含まれる。
【００４１】
尚、上述した本実施形態による浴室殺菌ユニットによれば、以下の効果が得られる。洗い場床上の全体と排水トラップ内を殺菌可能であり、特に、排水トラップ内を殺菌水で充分に置換することが可能な浴室殺菌システムを提供することができる。
【図面の簡単な説明】
【００４２】
【図１】本発明に係る浴室殺菌システムの一実施形態の全体概要を示す図。
【図２】浴室カウンタ裏面に取設された機能部を示す図で、（ａ）は平面図、（ｂ）は正面図、（ｃ）は側面図。
【図３】浴室カウンタ裏面に取設された配管の概略図。
【図４】機能部の詳細を示す図で、（ａ）は正面図、（ｂ）は側面図図。
【図５】銀電極の配置を模式的に説明する図。
【図６】洗い場床全面に殺菌水を吐水する散布ノズル１２の構成を示す図。
【図７】散布ノズル１２の回転体を示す図で、（ａ）は平面図、（ｂ）はＢ−Ｂ断面図、（ｃ）はＣ−Ｃ断面図、（ｄ）はＤ−Ｄ断面図、（ｅ）はＥ−Ｅ断面図。
【図８】散布ノズル１２の分解断面図。
【図９】散布ノズル１２による殺菌水の散布状態を示す平面図。
【図１０】散布ノズル１２による殺菌水の散布状態を示す立面図。
【図１１】排水口廻りにおける殺菌水の散布状態を示す斜視図。
【図１２】排水口付近に殺菌水を吐水する散布ノズル７３の構成を示す図。
【図１３】散布ノズル７３による殺菌水の散布状態を示す平面図。
【図１４】散布ノズル１２が固定ノズルの場合の殺菌水の散布状態を示す平面図。
【図１５】洗い場殺菌ＳＷがＯＮされた時のフローチャート。
【符号の説明】
【００４３】
１  浴槽殺菌装置
２  浴槽
２ａ  リム
３  洗い場床
４  第１の壁面
５  浴室カウンタ
６  バスエプロン
７  排水口
８  排水蓋
１０  制御ボックス
１１  機能ユニット
１２  散布部
１３  リモコン
１３ａ  スイッチ
１３ｂ  ＬＥＤ
１３ｃ  報知手段
１５  給水管
１６  給湯管
１７  水道水導入管
１８  止水栓
１９  殺菌水導出管
２０  ケース
２１  流入口
２２  電磁弁
２３  定流量弁
２４  大気開放弁
２５  逆止弁
２６  電解槽
２７  流出口
２８  ウレタン樹脂
２９  電極
３０  ボディ
３０ａ  軸先端
３０ｂ  最先端
３１  回転体
３２  上側部材
３２ａ  ３３ｅ  挿通孔
３３ａ，３３ｂ，３３ｃ，３３ｄ  液体噴出孔３３  下側部材
３４  ワッシャ
３５  固定ビス
４２  第二の壁面
７０  分岐部
７１  電磁弁
７２  電磁弁
７３  排水口殺菌散水部
７４  吐水口
７７  洗い場水栓
【図１】
2009219565.tif 000003
【図２】
2009219565.tif 000004
【図３】
2009219565.tif 000005
【図４】
2009219565.tif 000006
【図５】
2009219565.tif 000007
【図６】
2009219565.tif 000008
【図７】
2009219565.tif 000009
【図８】
2009219565.tif 000010
【図９】
2009219565.tif 000011
【図１０】
2009219565.tif 000012
【図１１】
2009219565.tif 000013
【図１２】
2009219565.tif 000014
【図１３】
2009219565.tif 000015
【図１４】
2009219565.tif 000016
【図１５】
2009219565.tif 000017